(57)【要約】【課題】防災無線により取得した防災情報を適切に報知する防災情報の受信装置を提供する。【解決手段】受信装置１００は、防災無線により防災情報を受信する無線受信部２０２と、受信した防災情報の内容を音声により報知する音声出力部２０７と、無線受信部２０２で防災情報を受信したときに、音声出力部２０７に防災情報の内容を音声により報知させ、報知している間、内部周辺機器２０８及び外部周辺機器２０９の音源から出力される音を抑制するコントローラ部２０３と、を備える。【選択図】図２
2017062745.tif 000002
【特許請求の範囲】
【請求項１】
防災無線により防災情報を受信する無線受信手段と、
受信した前記防災情報の内容を音声により報知する報知手段と、
前記防災情報に関する音声以外の音を出力する音源を制御する音出力制御手段と、
前記無線受信手段で前記防災情報を受信したときに、前記報知手段に前記防災情報の内容を音声により報知させ、前記報知手段が報知している間、前記音出力制御手段により前記音源からの前記音の出力を抑制する制御手段と、を備えることを特徴とする、
防災情報の受信装置。
【請求項２】
前記音源を有する内部周辺装置を備えており、
前記制御手段は、前記音出力制御手段により前記内部周辺装置を制御して、前記音源からの前記音の出力を抑制することを特徴とする、
請求項１記載の受信装置。
【請求項３】
前記音源を有する外部周辺装置の接続される通信インタフェースを備えており、
前記制御手段は、前記音出力制御手段により前記通信インタフェースを介して前記外部周辺装置を制御して、前記音源からの前記音の出力を抑制することを特徴とする、
請求項１又は２記載の受信装置。
【請求項４】
前記防災情報は、重要度を表す情報を含んでおり、
前記制御手段は、前記無線受信手段で受信した前記防災情報の前記重要度が所定値以上であれば、前記音出力制御手段により前記音源からの前記音の出力を抑制することを特徴とする、
請求項１〜３のいずれか１項記載の受信装置。
【請求項５】
電話機に接続される周辺機器制御手段を備えており、
前記制御手段は、前記報知手段に前記防災情報の内容を音声により報知させている間に前記電話機への着信があれば、前記周辺機器制御手段に、前記電話機の鳴動を抑制させることを特徴とする、
請求項１〜４のいずれか１項記載の受信装置。
【請求項６】
前記周辺機器制御手段は、前記電話機への呼出信号を検知して、前記制御手段に前記呼出信号を検知したことを表す検知信号を送信し、
前記制御手段は、前記検知信号により前記電話機への着信を判断することを特徴とする、
請求項５記載の受信装置。
【請求項７】
前記周辺機器制御手段は、前記電話機への前記呼出信号を検知して、前記電話機を鳴動させる擬似ＣＩ信号を前記電話機へ送出しており、
前記制御手段は、前記周辺機器制御手段からの前記擬似ＣＩ信号の送出を停止させることで、前記電話機の鳴動を抑制させることを特徴とする、
請求項６記載の受信装置。
【請求項８】
前記周辺機器制御手段は、ファクシミリであることを特徴とする、
請求項５〜７のいずれか１項記載の受信装置。
【請求項９】
防災無線により防災情報を受信する無線受信手段と、受信した前記防災情報の内容を音声により報知する報知手段と、前記防災情報に関する音声以外の音を出力する音源を制御する音出力制御手段と、を備えた受信装置により実行される方法であって、
前記無線受信手段が前記防災情報を受信したときに、前記報知手段に前記防災情報の内容を音声により報知させ、前記報知手段が前記防災情報の内容を音声により報知している間、前記音出力制御手段により前記音源からの前記音の出力を抑制することを特徴とする、
防災情報の報知方法。
【請求項１０】
防災無線により防災情報を受信する無線受信手段、及び受信した前記防災情報の内容を音声により報知する報知手段を備えたコンピュータを、
前記防災情報に関する音声以外の音を出力する音源を制御する音出力制御手段、
前記無線受信手段で前記防災情報を受信したときに、前記報知手段に前記防災情報の内容を音声により報知させ、前記報知手段が報知している間、前記音出力制御手段により前記音源からの前記音の出力を抑制する制御手段、
として機能させるためのコンピュータプログラム。
【請求項１１】
請求項１０記載のコンピュータプログラムを記憶するコンピュータで読み取り可能な記憶媒体。
【発明の詳細な説明】
【技術分野】
【０００１】
本発明は、防災無線により防災情報を受信する受信装置に関する。
【背景技術】
【０００２】
デジタル同報無線システムを使用した防災無線システムがある。防災無線システムでは、各所に配置された送信機が、２８０［ＭＨｚ］の電波を用いた防災無線により防災情報を配信する。住民は、２８０［ＭＨｚ］の電波専用のチャンネルを持った防災無線ラジオを所持する。防災無線ラジオは、防災無線により配信される防災情報を受信して、音声や光の点滅により受信した防災情報の内容を住民に報知する、防災情報の受信装置である。デジタル同報無線通信システムでは、２８０［ＭＨｚ］の電波を使用するために、防災無線ラジオはオフィス等の建物内で防災情報を受信可能である。防災情報の受信装置は、人命、財産を守るために、防災情報を多くの人に報知することを第一の目的とする。
【０００３】
オフィス空間には、ファクシミリ機能内蔵の複合機に代表されるような様々な情報機器が稼働している。このような情報機器は、通常、スピーカや電話のベル等の音源を備える。情報機器の音源は、ユーザに情報機器の状態や電話の着信状態等を伝える機能を有する。音源を備える情報機器は、防災情報の受信装置としての利用が期待できる。情報機器を防災情報の受信装置として用いる場合、音源から出力される音は、防災情報を音で報知するときに騒音となる可能性がある。そのために、このような情報機器の音源の制御を適宜行う技術が必要とされている。
特許文献１は、夜間の呼出信号着信時に電話のベルを鳴動させずに受信する受信モード切り替え機能を備えたファクシミリ装置を開示する。このファクシミリ装置は、昼間は、呼出信号の送信側がファクシミリ装置の場合にファクシミリ受信を行い、送信側が電話機の場合に疑似呼出音により被呼者に報知を行う。夜間もしくは被呼者が不在であれば、ファクシミリ装置、呼出信号の送信側がファクシミリ装置の場合にファクシミリ受信を行い、送信側が電話機の場合に無鳴動で相手の用件を自動的に録音する。
【先行技術文献】
【特許文献】
【０００４】
【特許文献１】特開平６−２３７３１２号公報
【発明の概要】
【発明が解決しようとする課題】
【０００５】
このような従来のファクシミリ装置は、防災情報の受信装置に用いる場合、昼間や夜間といった時間帯に応じた受信モードの切り替えを行うのみであり、防災情報の報知中に受信モードの切り替えを行わない。また、ファクシミリ装置とは独立に動作する音源を備える他の情報機器については、防災情報の受信装置であるファクシミリ装置が防災情報を報知中であっても、音源から出力される音の抑制を行わない。このような受信装置やその周辺機器から出力される音は、防災情報を音で報知する場合の阻害要因となる。
【０００６】
本発明は、上記の問題を解決するために、防災無線により取得した防災情報を適切に報知する防災情報の受信装置を提供することを主たる課題とする。
【課題を解決するための手段】
【０００７】
本発明の防災情報の受信装置は、防災無線により防災情報を受信する無線受信手段と、受信した前記防災情報の内容を音声により報知する報知手段と、前記防災情報に関する音声以外の音を出力する音源を制御する音出力制御手段と、前記無線受信手段で前記防災情報を受信したときに、前記報知手段に前記防災情報の内容を音声により報知させ、前記報知手段が報知している間、前記音出力制御手段により前記音源からの前記音の出力を抑制する制御手段と、を備えることを特徴とする。
【発明の効果】
【０００８】
本発明によれば、報知手段が防災情報の内容を音声で報知するときに、音源手段から出力される音を抑制する。そのために、音源手段からの防災情報に関する音声以外の音が報知手段から報知される音声を阻害することがなくなり、ユーザが防災情報の内容を表す音声を聞き取りやすくなる。
【図面の簡単な説明】
【０００９】
【図１】防災無線システムの構成図。
【図２】テレビの構成図。
【図３】（ａ）、（ｂ）は受信データの説明図。
【図４】防災情報の報知処理を表すフローチャート。
【図５】ＭＦＰの構成図。
【図６】ＦＡＸの構成図。
【図７】防災情報の報知処理を表すフローチャート。
【発明を実施するための形態】
【００１０】
以下、添付図面を参照して本発明の実施形態を詳しく説明する。尚、以下の実施形態は特許請求の範囲に係る本発明を限定するものでなく、また本実施形態で説明されている特徴の組み合わせの全てが本発明の解決手段に必須のものとは限らない。
【００１１】
図１は、本実施形態の防災無線システムの構成図である。この防災無線システムは、デジタル同報無線システムを使用しており、配信対象エリア７００内の受信装置１００に防災情報を配信する。受信装置１００は、例えば、防災無線による防災情報を受信する受信部、受信した防災情報の内容を報知するためのスピーカやディスプレイを備える情報機器である。受信装置１００の周辺には、高機能の画像形成装置であるＭＦＰ（Multifunction Peripheral）１０１、電話機１０２、テレビ１０３等の音源を備える周辺装置が配置される。受信装置１００は、これらの周辺装置に通信可能に接続される。
【００１２】
防災無線システムの配信元側は、複数の情報発信元端末２００、情報配信サーバ４００、及び送信局６００を備える。情報発信元端末２００と情報配信サーバ４００とは、インターネット等の公衆通信回線３００を介して相互に通信可能に接続される。情報配信サーバ４００と送信局６００とは、光回線や衛星回線等を用いた専用回線５００により通信可能に接続される。
【００１３】
情報発信元端末２００は、防災無線システムにおける防災情報等の情報の発信源となる端末である。情報発信元端末２００は、ここでは３つしか図示していないが、実際には多数設けられる。各情報発信元端末２００は、公衆通信回線３００を介して、情報配信サーバ４００へ防災情報等の情報を送信する。情報配信サーバ４００は、公衆通信回線３００を介して、各情報発信元端末２００から受信した防災情報等の情報を、専用回線５００を介して送信局６００へ送信する。送信局６００は、専用回線５００を介して情報配信サーバ４００から受信した防災情報等の情報を、例えば２８０［ＭＨｚ］の電波を用いて、防災無線通信８００により、配信対象エリア７００内の防災情報の受信装置１００へ配信する。
【００１４】
受信装置１００は、ここでは１つしか図示していないが、実際には多数設けられる。受信装置１００は、送信局６００から防災無線により配信される防災情報を受信する。受信装置１００は、受信した防災情報の内容を配信対象エリア７００内の人に報知する。受信装置１００は、人が、防災情報の内容を音声や画面表示、光の点滅等の聴覚及び視覚の少なくとも一方で認識できるように報知する。また、受信装置１００は、防災情報の報知中に、防災情報に関する音声以外の音を抑制する。防災情報に関する音声以外の音には、受信装置１００自身が発する防災情報に関係しない音の他に、周辺装置が発する音がある。
図１の例では、受信装置１００がＭＦＰ１０１、電話機１０２、テレビ１０３の音を抑制する。例えば、受信装置１００は、テレビ１０３によるテレビ放送の音の出力を抑制し、電話機１０２の着呼音を抑制する。これにより受信装置１００は、防災情報の内容の音声が、他の音により聞き取りづらくなることを防止することができる。
【００１５】
＜第１実施形態＞
図２は、受信装置１００の構成図である。受信装置１００は、防災無線ラジオのような専用装置であってもよいが、テレビ１０３等に組み込まれていてもよい。受信装置１００は、アンテナ２０１、無線受信部２０２、コントローラ部２０３、通信ＩＦ２０５、操作部２０６、音声出力部２０７、及び内部周辺機器２０８を備える。受信装置１００には、外部周辺機器２０９（図１の周辺機器）が接続される。
【００１６】
アンテナ２０１は、送信局６００から送出される防災無線通信８００の電波を受信して、無線受信部２０２に入力する。無線受信部２０２は、アンテナ２０１から入力される電波により、送信局６００から配信される防災情報を受信する。無線受信部２０２は、アンテナ２０１から入力される電波により受信した防災情報に基づいて、デジタルデータである受信データを生成する。受信データは、コントローラ部２０３に入力される。
【００１７】
コントローラ部２０３は、操作部２０６、音声出力部２０７、及び通信ＩＦ２０５に接続される内部周辺機器２０８及び外部周辺機器２０９の動作を制御する。コントローラ部２０３は、例えばＣＰＵ（Central Processing Unit）を備える。この他に、コントローラ部２０３は、ＡＳＩＣ（Application Specific Integrated Circuit）、ＦＰＧＡ（Field-Programmable Gate Array）等を備えてもよい。コントローラ部２０３は、例えばＣＰＵがコンピュータプログラムを読み込んで実行することにより、防災情報の報知に関する機能及び処理を実現する。
【００１８】
通信ＩＦ２０５は、コントローラ部２０３と内部周辺機器２０８及び外部周辺機器２０９との間の通信を制御するインタフェースである。通信ＩＦ２０５は、有線通信や無線通信の汎用規格による通信制御を行う。有線通信の汎用規格は、例えば、専用バス、ＵＳＢ（Universal Serial Bus）、ＰＣＩＥｘｐｒｅｓｓ（登録商標）等である。無線通信の汎用規格は、例えば、ＷｉＦｉ（Wireless Fidelity：登録商標）、ブルートゥース（Bluetooth：登録商標）等である。コントローラ部２０３は、通信ＩＦ２０５を介して、内部周辺機器２０８及び外部周辺機器２０９の動作を制御する。
内部周辺機器２０８は、例えば受信装置１００が有する防災情報に関する音声以外の音を出力する音源を備える。例えば受信装置１００がテレビ１０３に組み込まれる場合、内部周辺機器２０８は、テレビ放送の画像を表示するディスプレイ、音を出力する音源となるスピーカ等の、テレビ放送の受信及び出力に必要な構成である。外部周辺機器２０９は、ＭＦＰ１０１、電話機１０２、テレビ１０３等の、防災情報に関する音声以外の音を出力する音源を有する装置である。
【００１９】
操作部２０６は、ユーザとの間のインタフェースであり、入力部及び出力部を備える。入力部は、ユーザが受信装置１００に対して各種設定を行うボタン、スイッチ、テンキー等である。操作部２０６は、入力部により入力される指示をコントローラ部２０３に送信する。出力部は、受信装置１００の状態や設定画面の表示を行う表示部、ＬＥＤ（Light Emitting Diode）等の発光部、スピーカ等である。なお表示部は、表示面に透明のタッチパッドが形成されて、入出力装置であるタッチパネルを構成する。操作部２０６は、コントローラ部２０３から入力される制御信号により、動作が制御される。
音声出力部２０７は、コントローラ部２０３の制御により、スピーカ等の音出力装置から音を出力する。音声出力部２０７は、防災情報の内容を音声により報知する。
【００２０】
コントローラ部２０３は、無線受信部２０２により受信した防災情報に含まれるメッセージ等の内容を、出力部により画面表示等で報知し、音声出力部２０７により音声で報知する。この間、コントローラ部２０３は、通信ＩＦ２０５を介して内部周辺機器２０８及び外部周辺機器２０９が備える音源から出力される音を抑制する。そのためにコントローラ部２０３は、内部周辺機器２０８及び外部周辺機器２０９が備える音源の音出力制御を行う。
【００２１】
図３は、防災情報に基づいて生成される受信データの説明図である。無線受信部２０２は、防災情報に含まれる内容の重要度を表す情報及び内容となる文章を表す情報に基づいて、受信データを生成する。図３（ａ）は、受信データのフォーマットを例示する。受信データは、２ビットのヘッダ部及び１キロバイトの本文部から構成される。ヘッダ部は、防災情報の内容の重要度を表すヘッダ情報を含む。ヘッダ部が２ビットであるため、重要度は複数、本実施形態では４段階で設定される。本文部は、防災情報の具体的な内容を表す文章を含む。図３（ｂ）は、防災情報のヘッダ部及び本文部の具体例を表す。コントローラ部２０３は、ヘッダ部と重要度との関係を表す情報、例えばテーブルを図示しないメモリに格納する。
【００２２】
ヘッダ部が「００」の場合、「重要度０」であり、防災情報の警戒レベルがお知らせレベルであることを表す。具体的には、防災情報は、本文部の例文に有るような「明日は区議会議員選挙の投票日です」といった内容となる。ヘッダ部が「０１」の場合、「重要度１」であり、防災情報の警戒レベルが注意報レベルあることを表す。具体的には、防災情報は、本文部の例文に有るような「茨城県南部に大雨注意報が出ました」といった内容となる。ヘッダ部が「１０」の場合、「重要度２」であり、防災情報の警戒レベルが警報レベルであることを表す。具体的には、防災情報は、本文部の例文に有るような「都内２３区に大雨洪水警報が出ました」といった内容となる。ヘッダ部が、「１１」の場合、「重要度３」であり、防災情報の警戒レベルが地震や津波など、緊急性及び重要性の高いレベルであることを表す。具体的には、防災情報は、本文部の例文に有るような「茨城県南部に震度５以上の地震が起きる可能性があります」といった内容となる。本文部には、図３（ｂ）の例文のような文章がコード化されて格納される。コード化は、例えばシフトＪＩＳコードを使用して行われる。
【００２３】
図４は、このような構成の受信装置１００により行われる、防災情報の報知処理を表すフローチャートである。
【００２４】
コントローラ部２０３は、無線受信部２０２から防災情報に基づく受信データを取得する（Ｓ４０１）。コントローラ部２０３は、受信データに基づいて音声出力部２０７により防災情報の内容を表すメッセージの音声出力を開始する（Ｓ４０２）。これにより受信装置１００は、ユーザに対して防災情報の音声による報知を行う。
【００２５】
コントローラ部２０３は、受信データのヘッダ部及びメモリに格納するヘッダ部と重要度との関係を表す情報により、防災情報の重要度を確認する。防災情報の重要度が「３」ではない場合（Ｓ４０３：N）、コントローラ部２０３は、防災情報の内容を表すメッセージを最後まで音声出力して処理を終了する（Ｓ４０７：Y）。
【００２６】
防災情報の重要度が「３」の場合（Ｓ４０３：Y）、コントローラ部２０３は、防災情報の内容を表すメッセージが音声出力中であるか否かを判断する（Ｓ４０４）。音声出力中である場合（Ｓ４０４：Y）、コントローラ部２０３は、通信ＩＦ２０５を介して、内部周辺機器２０８及び外部周辺機器２０９の音源からの音出力を抑制する（Ｓ４０５）。コントローラ部２０３は、例えば通信ＩＦ２０５を介して、音出力を抑制するためのコマンドの送信、或いは専用の制御信号を送信することで、内部周辺機器２０８及び外部周辺機器２０９の音出力を制御する。コントローラ部２０３による音出力の制御は、内部周辺機器２０８及び外部周辺機器２０９がそれぞれ備える通信インタフェースや音出力制御方法に準じた方法で行えばよく、特定の方法に限られない。内部周辺機器２０８及び外部周辺機器２０９の音源からの音出力を抑制したコントローラ部２０３は、再び、防災情報の内容を表すメッセージが音声出力中であるか否かを判断する（Ｓ４０４）。
【００２７】
防災情報の内容を表すメッセージの音声出力が終了した場合（Ｓ４０４：N）、コントローラ部２０３は、内部周辺機器２０８及び外部周辺機器２０９の音源からの音出力の抑制を解除して処理を終了する（Ｓ４０６）。コントローラ部２０３は、例えば通信ＩＦ２０５を介して、音出力の抑制解除のコマンドの送信、或いは専用の制御信号の送信を行うことで、内部周辺機器２０８及び外部周辺機器２０９の音出力の抑制を解除する。
【００２８】
Ｓ４０４〜Ｓ４０６の処理を行うことで、コントローラ部２０３は、防災情報の内容を表すメッセージの音声出力が終了するまで、内部周辺機器２０８及び外部周辺機器２０９の音源からの音出力を抑制することができる。そのために、内部周辺機器２０８及び外部周辺機器２０９の音源から出力される音が、防災情報の音声出力の阻害要因となることを防止することができる。なお、本実施形態では、重要度が「３」の防災情報の場合に内部周辺機器２０８及び外部周辺機器２０９の音出力を抑制する構成としているが、音出力の抑制のための重要度は、適宜設定するようにしてもよい。例えば、重要度が所定値以上であれば、内部周辺機器２０８及び外部周辺機器２０９の音出力を抑制する構成としてもよい。
【００２９】
＜第２実施形態＞
第２実施形態では、受信装置１００がファクシミリ機能を有するＭＦＰ１０１に内蔵される例について説明する。図５は、このようなＭＦＰ１０１の構成図である。ＭＦＰ１０１は、コントローラ部３０１、アンテナ３０２、無線受信部３０７、スキャナ３１６、プリンタ３１１、ファクシミリ（ＦＡＸ）３１７、無線通信ＩＦ３１０、音声出力部３２１、及び操作部３２０を備える。
【００３０】
アンテナ３０２は、送信局６００から送出される防災無線通信８００の電波を受信して、無線受信部３０７に入力する。無線受信部３０７は、アンテナ３０２から入力される電波により、送信局６００から配信される防災情報を受信する。無線受信部３０７は、アンテナ３０２から入力される電波により受信した防災情報に基づいて、デジタルデータである受信データを生成する。受信データは、コントローラ部３０１に入力される。受信データの構成は、図３に示す通りである。
【００３１】
プリンタ３１１は、画像形成部であり、コントローラ部３０１から入力される画像信号に基づいて、インクやトナー等を使用して用紙に画像形成して出力する。プリンタ３１１は、コントローラ部３０１から入力されるプリンタ制御信号により、動作が制御される。
スキャナ３１６は、画像読取部であり、原稿から原稿画像を光学的に読み取り、読み取った原稿画像を表すデジタル信号である画像信号を生成する。スキャナ３１６は、少なくともＣＣＤ（Charged Couple Device）或いはＣＩＳ（Contact Image sensor）を備える。スキャナ３１６は、生成した画像信号をコントローラ部３０１に入力する。スキャナ３１６は、コントローラ部３０１から入力されるスキャナ制御信号により、動作が制御される。
【００３２】
操作部３２０は、ユーザとの間のインタフェースであり、入力部及び出力部を備える。入力部は、ユーザがＭＦＰ１０１に対して各種設定を行うボタン、スイッチ、テンキー等である。出力部は、ＭＦＰ１０１の状態や設定画面の表示を行う表示部、ＬＥＤ等の発光部、スピーカ等である。なお表示部は、表示面に透明のタッチパッドが形成されて、入出力装置であるタッチパネルを構成する。操作部３２０は、コントローラ部３０１から入力される制御信号により、動作が制御される。
【００３３】
音声出力部３２１は、コントローラ部３０１の制御により、スピーカ等の音出力装置から音を出力する。音声出力部３２１は、防災情報の内容を音声により報知する。
ＦＡＸ３１７は、公衆回線を介した通信を行う。ＦＡＸ３１７は、外部周辺機器である電話機１０２に接続され、電話機１０２の回線接続制御、着信鳴動制御等を行う。ＦＡＸ３１７の詳細については後述する。
無線通信ＩＦ３１０は、ＷｉＦｉ（登録商標）、ブルートゥース（Bluetooth：登録商標）等の無線通信３１５により、通信可能エリア内の外部周辺機器との間で通信を行う。無線通信ＩＦ３１０を介した通信により、ＭＦＰ１０１は、外部周辺機器の動作を制御可能である。
【００３４】
コントローラ部３０１は、ＭＦＰ１０１の各部の制御を行う。そのためにコントローラ部３０１は、ＣＰＵ３０４、ＲＯＭ（Read Only Memory）３０５、及びＲＡＭ（Random Access Memory）３０６を備える。ＣＰＵ３０４は、ＲＯＭ３０５からコンピュータプログラムを読み込み、ＲＡＭ３０６を作業領域に用いて実行することで、ＭＦＰ１０１の動作を制御する。特に本実施形態では、ＣＰＵ３０４は、防災情報の報知に関する機能及び処理を実現する。コントローラ部３０１は、この他に、画像生成部３０９、色変換処理部３１８、ハーフトーン処理部３１９、プリンタＩＦ３１３、及びスキャナＩＦ３１２を備える。コントローラ部３０１内の各部は、バス３１４を介して通信可能に接続される。このようなコントローラ部３０１は、例えばＳＯＣ（System On a Chip）により構成される。
【００３５】
画像生成部３０９は、無線通信ＩＦ３１０により不図示の外部装置から取得する画像信号やスキャナ３１６で読み取った画像信号に基づいて、ＲＧＢの各色からなるラスターイメージデータであるＲＧＢデータを生成して、画素毎に出力する。また、画像生成部３０９は、外部に設けられるスキャナから画像信号を取得してもよい。
【００３６】
色変換処理部３１８は、画像生成部３０９で生成されたＲＧＢデータを、トナー色であるＣＭＹＫの色データであるＣＭＹＫデータに変換する。ＣＭＹＫデータは、画像形成時のＣＭＹＫの各色のトナー量を示しており、画素単位に例えば８ビット（０〜２５５）の値で表される。例えば、ＣＭＹＫの各色の値は、「０」であればトナー未使用を示し、値が大きくなるにつれて濃度が濃くなり、「２５５」で最大の濃さを表す。
【００３７】
ハーフトーン処理部３１９は、色変換処理部３１８で生成されたＣＭＹＫデータにハーフトーン処理を行う。ハーフトーン処理部３１９は、例えば、スクリーン処理或いは誤差拡散処理により、ハーフトーン処理を行う。スクリーン処理は、複数のディザマトリクス及び入力されるＣＭＹＫデータを用いて、Ｎ値化する処理である。誤差拡散処理は、ＣＭＹＫデータの注目画素と所定の閾値との比較により注目画素の値をＮ値化し、Ｎ値化処理によって生じる注目画素と閾値との差分を、以降にＮ値化処理する周囲画素に対して拡散させる処理である。
【００３８】
プリンタＩＦ３１３は、コントローラ部３０１とプリンタ３１１との間の通信インタフェースである。プリンタＩＦ３１３は、ＣＭＹＫデータ、制御信号、印刷設定情報等をコントローラ部３０１からプリンタ３１１へ送信する。また、プリンタＩＦ３１３は、プリント開始要求やプリントレディ通知等の印刷動作シーケンスを同期して行うための制御信号の、コントローラ部３０１とプリンタ３１１との間の送受信を制御する。
【００３９】
スキャナＩＦ３１２は、コントローラ部３０１とスキャナ３１６との間の通信インタフェースである。スキャナＩＦ３１２は、画像信号をスキャナ３１６からコントローラ部３０１に取り込む。また、スキャナＩＦ３１２は、スキャナ３１６の動作を制御する制御信号をコントローラ部３０１からスキャナ３１６へ送信する。
【００４０】
このような構成のＭＦＰ１０１は、音声出力部３２１により、防災情報の内容を表すメッセージを音声出力することで防災情報の報知を行う。その際にＭＦＰ１０１は、ＦＡＸ３１７に接続された電話機１０２の鳴動を抑制する。なお、ＭＦＰ１０１は、防災情報を、音声出力の他に、プリンタ３１１による用紙への画像形成や操作部３２０の表示部への表示により報知してもよい。
【００４１】
図６は、ＦＡＸ３１７の構成図である。ＦＡＸ３１７は、図５に示す通りコントローラ部３０１のバス３１４に接続されており、ＣＰＵ３０４により動作が制御される。バス３１４に接続されるＲＡＭ３０６は、ファクシミリ送信又はファクシミリ受信時の、画像や各種情報、ファクシミリ動作の設定等の一時的な記憶領域を提供する。
【００４２】
モデム５０１は、コントローラ部３０１に接続されており、コントローラ部３０１の制御により動作する変復調器である。モデム５０１は、スキャナ３１６で読み取られたファクシミリ送信の対象となる画像信号の変調処理と、公衆回線５１９を介して受信した信号の復調処理とを行う。モデム５０１は、絶縁回路５０２を介してＳＤＡＡ（シリコンＤＡＡ）５０３に接続される。
【００４３】
ＳＤＡＡ５０３は、半導体ＮＣＵ（Network Control Unit）であり、コントローラ部３０１の制御により動作する。ＳＤＡＡ５０３は、ＦＡＸ３１７と公衆回線５１９とのインタフェースとして機能する網制御装置である。また、ＳＤＡＡ５０３は、公衆回線５１９を介して相手側装置との間で通信を行う際に、回線の接続（捕捉）状態を制御する。
公衆回線５１９には、ＦＡＸ３１７に外付けされる電話機１０２も接続される。電話機１０２は、Ｈリレー５１６を介して公衆回線５１９に接続される。ＳＤＡＡ５０３は、電話機１０２と並列に公衆回線５１９に接続される。ＳＤＡＡ５０３は、電話機１０２が公衆回線５１９を介して相手側装置との間で音声通信を行う場合にも、回線の捕捉状態を制御する。
【００４４】
呼び出し信号フィルタ５０４は、呼出信号を検出する前段階として公衆回線５１９を介して受信した信号をフィルタリングする。
回線電流検知、回線インピーダンス回路５０５は、回線の電流検知や、パルスダイヤル時のインピーダンス調整を行う。
受信ＩＦ回路５０６は、受信を行うために、受信信号を前処理するためのインタフェースである。
インピーダンス複合送信回路５０７は、信号送信のための回路であり、公衆回線５１９との間のインピーダンス整合を行う。
ブリッジ回路５０８は、公衆回線５１９の極性とＳＤＡＡ５０３の極性とを合わせるために設けられる。
リングインピーダンス調整回路５０９は、呼び出し信号を受信したときのインピーダンスを調整する。
ＥＭＩ（Electro-Magnetic Interference）／ＥＭＣ（Electro-Magnetic
Compatibility）対策回路５１０は、雷サージや照射イミュニティ、放射ノイズ対策等のノイズ対策のために設けられる。
電話回線接続部５１１は、モジュラージャック等により公衆回線５１９に接続される。
【００４５】
ＣＩ検知回路５１２は、公衆回線５１９から受信する呼出信号（以下、「ＣＩ信号」という。）を検知する。ＣＩ検知回路５１２は、ＣＩ信号を検知すると、ＣＩ信号の検知を表すＣＩ検知信号５２０をコントローラ部３０１へ送信する。コントローラ部３０１は、ＣＩ検知信号５２０に基づいて、公衆回線５１９からＣＩ信号を受信したか否かを判断する。
【００４６】
Ｈリレー５１６は、電話機１０２をＤＣ電源５１４及び公衆回線５１９のいずれか一方に接続するための切替器である。Ｈリレー５１６は、コントローラ部３０１から受信するＨリレー駆動信号５２１により動作が制御され、電話機１０２をＤＣ電源５１４及び公衆回線５１９のいずれか一方に接続する。Ｈリレー５１６により電話機１０２が公衆回線５１９から切り離されている場合、ＣＩ信号を着信していても電話機１０２は鳴動せず、いわゆるＦＡＸ３１７の無鳴動着信状態となる。このときＤＣ電源５１４は、電流を電話機１０２に供給する。
フック検知回路５１７は、Ｈリレー５１６と電話機１０２との間に設けられ、電話機１０２の受話器のオフフック又はオンフックを検知する。フック検知回路５１７は、Ｈリレー５１６によって電話機１０２が公衆回線５１９及びＤＣ電源５１４のいずれか一方に接続された場合であっても、電話機１０２に流れる電流を検知する。フック検知回路５１７は、この検知した電流によって、電話機１０２の受話器のオフフック又はオンフックの状態を検知する。フック検知回路５１７は、電話機１０２の受話器のオフフック又はオンフックの検知結果を表すフック検知信号５２２を、コントローラ部３０１へ送信する。コントローラ部３０１は、フック検知信号５２２に基づいて、電話機１０２の受話器のフック状態を判定する。
【００４７】
擬似ＣＩ送出回路５１３は、擬似ＣＩ信号を電話機１０２に対して送出する。擬似ＣＩ信号は、公衆回線５１９を介してＣＩ着信があった場合に、公衆回線５１９から切断された状態にある電話機１０２を鳴動させるために電話機１０２に対して送出される信号である。擬似ＣＩ送出回路５１３は、コントローラ部３０１から受信する擬似ＣＩ駆動信号５１５により動作が制御される。
【００４８】
以上のような構成のＭＦＰ１０１は、防災無線により受信した防災情報を音声出力部３２１により音声出力しつつ、ＦＡＸ３１７を周辺機器制御装置として、電話機１０２の着信による鳴動を抑制する。図７は、このような構成のＭＦＰ１０１により行われる、防災情報の報知処理を表すフローチャートである。
【００４９】
コントローラ部３０１は、無線受信部３０７から防災情報に基づく受信データを取得する（Ｓ７０１）。コントローラ部３０１は、受信データに基づいて音声出力部３２１により防災情報の内容を表すメッセージの音声出力を開始する（Ｓ７０２）。これによりＭＦＰ１０１は、ユーザに対して防災情報の音声による報知を行う。
【００５０】
コントローラ部３０１は、受信データのヘッダ部及びヘッダ部と重要度との関係を表す情報により、防災情報の重要度を確認する。第２実施形態では、ヘッダ部と重要度との関係を表す情報が、例えばＲＡＭ３０６に格納される。防災情報の重要度が「３」ではない場合（Ｓ７０３：N）、コントローラ部３０１は、防災情報の内容を表すメッセージを最後まで音声出力して処理を終了する（Ｓ７１４：Y）。
【００５１】
防災情報の重要度が「３」の場合（Ｓ７０３：Y）、コントローラ部３０１は、防災情報の内容を表すメッセージが音声出力中であるか否かを判断する（Ｓ７０４）。音声出力が終了した場合（Ｓ７０３：N）、コントローラ部３０１は、処理を終了する。音声出力中である場合（Ｓ７０３：Y）、コントローラ部３０１は、ＣＩ検知信号をＦＡＸ３１７から受信しているか否かを確認して、ＣＩ着信の有無を判断する（Ｓ７０５）。ＣＩ着信がない場合（Ｓ７０５：N）、コントローラ部３０１は、Ｓ７０４以降の処理を繰り返し行う。
【００５２】
ＣＩ着信がある場合（Ｓ７０５：Y）、コントローラ部３０１は、ＦＡＸ３１７が、ＣＩ信号の相手側装置がファクシミリ送信を行うか否かを表すＣＮＧ信号を受信したか否かを判断する（Ｓ７０６）。ＣＮＧ信号を受信した場合（Ｓ７０６：Y）、コントローラ部３０１は、ＦＡＸ３１７により相手側装置とのファクシミリ通信を行い、処理を終了する。（Ｓ７０７）。
【００５３】
ＣＮＧ信号を受信しない場合（Ｓ７０６:N）、コントローラ部３０１は、相手側装置から電話による着信があると判断する。この場合、ＭＦＰ１０１は、防災情報の内容を表すメッセージの音声出力中であるために、電話機１０２の着信による鳴動を抑制する。そのためにコントローラ部３０１は、擬似ＣＩ駆動信号により、ＦＡＸ３１７の擬似ＣＩ送出回路５１３を非アクティブにして、電話機１０２に対する擬似ＣＩ信号の送出を停止する（Ｓ７０８）。これにより電話機１０２の鳴動が抑制される。コントローラ部３０１は、防災情報の内容を表すメッセージの音声出力が終了するまで、擬似ＣＩ信号の送出を停止させる（Ｓ７０９）。
【００５４】
防災情報の内容を表すメッセージの音声出力が終了すると（Ｓ７０９：Y）、コントローラ部３０１は、擬似ＣＩ駆動信号により擬似ＣＩ送出回路５１３をアクティブにして、電話機１０２に対する擬似ＣＩ信号の送出を再開する（Ｓ７１０）。これにより電話機１０２が鳴動する。
【００５５】
コントローラ部３０１は、予め定められた規定時間だけ、擬似ＣＩ駆動信号により擬似ＣＩ送出回路５１３に擬似ＣＩ信号を送出させる（Ｓ７１１）。規定時間は、ユーザにより予め設定され、例えばＲＡＭ３０６に格納される。規定時間により、ユーザは、着信時の電話ベルの鳴動時間を設定することができる。規定時間の経過前であれば（Ｓ７１１：N）、コントローラ部３０１は、フック検知信号によりオフフックされたか否か、つまりユーザが電話機１０２の受話器を取ったか否かを判断する（Ｓ７１２）。受話器が取られない場合（Ｓ７１２：N）、コントローラ部３０１は、Ｓ７１０以降の処理を繰り返し行う。
【００５６】
規定時間が経過した場合（Ｓ７１１：Y）、コントローラ部３０１は、擬似ＣＩ駆動信号により擬似ＣＩ送出回路５１３を非アクティブにして、電話機１０２に対する擬似ＣＩ信号の送出を終了する（Ｓ７１３）。また、規定時間経過前であっても、ユーザが受話器を取った場合（Ｓ７１２：Y）、コントローラ部３０１は、擬似ＣＩ送出回路５１３を非アクティブにして、電話機１０２に対する擬似ＣＩ信号の送出を終了する（Ｓ７１３）。
【００５７】
以上の処理により、ＭＦＰ１０１は、防災情報の内容を表すメッセージの音声出力中に電話による着信がある場合に、防災情報の内容を表すメッセージの音声出力が終了するまで電話機１０２の鳴動を抑制することができる。そのために電話機１０２から出力される音が、防災情報の音声出力の阻害要因となることを防止することができる。なお、本実施形態では、重要度が「３」の防災情報の場合に電話機１０２の音出力を抑制する構成としているが、音出力の抑制のための重要度は、適宜設定するようにしてもよい。例えば、重要度が所定値以上であれば、電話機１０２の音出力を抑制する構成としてもよい。また、ＭＦＰ１０１は、電話機１０２の鳴動を、擬似ＣＩ信号の他に、例えばスイッチやボリュームにより制御する構成であってもよい。
また、ＭＦＰ１０１は、第１実施形態の受信装置１００を内包しているため、防災情報の内容を表すメッセージの音声出力が終了するまで、内蔵する周辺機器で音源を有するものに対して、音の出力を抑制する。
【００５８】
以上のように、防災情報の受信装置１００は、防災情報の内容を表すメッセージを音声出力する場合に、外部及び内部の周辺機器の音源による音出力を抑制する。これにより防災情報の内容を表すメッセージの音声出力が明瞭になり、周辺機器の音源が発する音により聞き取りにくくなることを回避することが可能となる。
【００５９】
（その他の実施例）
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（又はＣＰＵやＭＰＵ等）がプログラムを読み出して実行する処理である。
【図１】
2017062745.tif 000003
【図２】
2017062745.tif 000004
【図３】
2017062745.tif 000005
【図４】
2017062745.tif 000006
【図５】
2017062745.tif 000007
【図６】
2017062745.tif 000008
【図７】
2017062745.tif 000009